(57)【要約】マルチキャスト同報通信単一周波数ネットワーク（ＭＢＳＦＮ）のスケジューリングのためのシステムを提供する。システムは、１つ以上のマルチキャストトラフィックチャネル（ＭＴＣＨ）を伝送する複数の拡張ノードＢ（ＥＮＢ）を促進するように構成される、中央制御を含む。１つ以上のＭＴＣＨは、可変スケジューリング期間（ＳＰ）中に提供され、かつ、ＭＢＳＦＮトラフィックコンテンツを含むデータ部分と、ＭＢＳＦＮトラフィックコンテンツに関連するスケジューリング情報を含む可変スケジューリング部分とを含む。【選択図】図１
2011509548.tif 000002
【特許請求の範囲】
【請求項１】
マルチキャスト同報通信単一周波数ネットワーク「ＭＢＳＦＮ」のためのスケジューリングを提供するシステムであって、
１つ以上のマルチキャストトラフィックチャネル「ＭＴＣＨ」を伝送する複数の拡張ノードＢ「ＥＮＢ」を促進するように構成されている中央制御を備え、該１つ以上のＭＴＣＨは、可変スケジューリング期間「ＳＰ」中に提供され、該１つ以上のＭＴＣＨは、ＭＢＳＦＮトラフィックコンテンツを含むデータ部分と、該ＭＢＳＦＮトラフィックコンテンツに関するスケジューリング情報を含む可変スケジューリング部分とを含む、システム。
【請求項２】
前記スケジューリング情報は、前記伝送に関連するサービスタイミング、周期性、割り当てられたリソース、およびサービス識別「ＩＤ」、ならびに前記ＭＢＳＦＮトラフィックコンテンツに関連する変調情報および符号化情報のうちの少なくとも１つを含む、請求項１に記載のシステム。
【請求項３】
前記中央制御は、前記ＳＰの長さを割り当てるようにさらに構成されている、請求項１または請求項２に記載のシステム。
【請求項４】
前記ＳＰの長さは、一定の期間にわたって動的である、請求項３に記載のシステム。
【請求項５】
セカンダリマルチキャスト制御チャネル「Ｓ−ＭＣＣＨ」を提供することをさらに含み、該Ｓ−ＭＣＣＨは、永続的サービスを有する複数の前記ＭＴＣＨのそれぞれに対するスケジューリング情報を含む、請求項１〜４のいずれかに記載のシステム。
【請求項６】
複数のマルチキャストトラフィックチャネル「ＭＴＣＨ」を提供する方法であって、
単一マルチキャスト同報通信単一周波数ネットワーク「ＭＳＢＦＮ」に属する、該複数のＭＴＣＨを決定することと、
該複数のＭＴＣＨの多重化方式を選択することと、
可変スケジューリング期間「ＳＰ」にわたって、該多重化方式に従って、単一マルチキャストトランスポートチャネル「ＭＣＨ」層に該複数のＭＴＣＨをマッピングすることであって、該複数のＭＴＣＨからのトラフィックは、該ＳＰの複数のトランスポートブロック「ＴＢ」に割り当てられる、ことと
を含む、方法。
【請求項７】
中央制御は、前記ＳＰの長さを決定し、前記複数のＭＴＣＨのうちのどれが前記ＭＳＢＦＮに属するかを決定し、該複数のＭＴＣＨに対する前記多重化方式を選択する、請求項６に記載の方法。
【請求項８】
前記選択された多重化方式は、周波数優先多重化方式である、請求項６または請求項７に記載の方法。
【請求項９】
完全に伝送されていない前記複数のＭＴＣＨのそれぞれからのトラフィックは、前記ＳＰのサブフレームの複数のＴＢにマッピングされる、請求項８に記載の方法。
【請求項１０】
前記選択された多重化方式は、時間優先多重化方式である、請求項６または請求項７に記載の方法。
【請求項１１】
第２のＭＴＣＨからのトラフィックを前記ＳＰのサブフレームにマッピングする前に、第１のＭＴＣＨからの全てのトラフィックが、該ＳＰのサブフレームにマッピングされるように、前記複数のＭＴＣＨのそれぞれからのトラフィックは、該ＳＰの複数のサブフレームに順次マッピングされる、請求項１０に記載の方法。
【請求項１２】
複数の前記サブフレームのうちの１つの前記複数のＴＢの少なくともいくつかは、前記第１のＭＴＣＨから最後に残ったコンテンツを伝送することから、前記第２のＭＴＣＨから第１のコンテンツを伝送することへの移行中に、前記ＭＴＣＨのうちの２つ以上からのトラフィックを有する、請求項１１に記載の方法。
【請求項１３】
ＳＰの長さは、経時的に動的であり、中央制御によって割り当てられる、請求項６から請求項１２のうちのいずれかに記載の方法。
【請求項１４】
マルチメディア同報通信マルチキャストサービス「ＭＢＭＳ」をスケジューリングする、ワイヤレス電気通信ネットワーク内のネットワーク制御エンティティであって、
実質的に一定のサービス速度を有するＭＴＣＨを伝送することを促進するように構成されているプロセッサを備え、該プロセッサは、該伝送されたＭＴＣＨに関連付けられたスケジューリング情報を提供するセカンダリマルチキャスト制御チャネル「Ｓ−ＭＣＣＨ」を促進するようにさらに構成され、該プロセッサは、動的サービス速度を有する複数のＭＴＣＨを伝送することを促進するようにさらに構成され、該プロセッサは、該動的サービス速度を有する該複数のＭＴＣＨと、データ部分およびスケジューリング部分を有するスケジューリング期間「ＳＰ」を有するＭＣＨの間に該実質的に一定の速度を有する該ＭＴＣＨとを提供することを促進するように構成され、該スケジューリング部分は、該動的サービス速度を有する該ＭＴＣＨに対する該スケジューリング情報のみを維持する、ネットワーク制御エンティティ。
【請求項１５】
前記ＳＰおよび前記スケジューリング部分は可変である、請求項１４に記載のネットワーク制御エンティティ。
【請求項１６】
マルチキャスト同報通信単一周波数ネットワーク「ＭＢＳＦＮ」トラフィックコンテンツを受信するユーザ機器であって、
可変スケジューリング期間「ＳＰ」中に提供される１つ以上のマルチキャストトラフィックチャネル「ＭＴＣＨ」伝送を受信するように構成されているプロセッサを備え、該ＭＴＣＨは、ＭＢＳＦＮトラフィックコンテンツを含むデータ部分と、該ＭＢＳＦＮトラフィックコンテンツに関連するスケジューリング情報を含む可変スケジューリング部分とを有し、該プロセッサは、複数の該ＭＴＣＨのうちの１つ以上を受信するために、該スケジューリング部分の中の該スケジューリング情報を使用するように構成されている、ユーザ機器。
【請求項１７】
前記スケジューリング情報は、複数の前記ＭＴＣＨのうちの１つ以上を受信するために使用される、サービスタイミング、周期性、割り当てられたリソース、およびサービス識別「ＩＤ」を含む、請求項１６に記載のユーザ機器。
【請求項１８】
前記ユーザ機器は、複数の前記ＭＴＣＨのうちの１つ以上を受信するために使用される、前記ＭＢＳＦＮトラフィックコンテンツに関連する変調情報および符号化情報をさらに含む前記スケジューリング情報を使用するように構成されている、請求項１６に記載のユーザ機器。
【請求項１９】
コンピューティングデバイスのプロセッサによって実行可能なコンピュータ読み取り可能命令を格納するコンピュータ読み取り可能媒体であって、該コンピュータ読み取り可能命令は、請求項６〜請求項１３のうちのいずれかに記載の方法のステップを該デバイスに実行させる、コンピュータ読み取り可能媒体。
【請求項２０】
ユーザ機器であって、
単一マルチキャスト同報通信単一周波数ネットワーク「ＭＳＢＦＮ」同報通信を受信するように構成されているプロセッサを備え、該同報通信は、該同報通信を含むように多重化され、かつ、可変スケジューリング期間「ＳＰ」にわたって、多重化方式に従って、単一マルチキャストトランスポートチャネル「ＭＣＨ」層にマッピングされる複数のＭＴＣＨを有し、該複数のＭＴＣＨからのトラフィックは、該ＳＰの複数のトランスポートブロック「ＴＢ」に割り当てられ、該プロセッサは、該複数のＭＴＣＨのうちの１つを受信するように該スケジューリング期間を分析するために、該多重化方式に関連する逆多重化方式を使用するようにさらに構成されている、ユーザ機器。
【請求項２１】
前記選択された多重化方式は、周波数優先多重化方式または時間優先多重化方式を含む、請求項２０に記載のユーザ機器。
【発明の詳細な説明】
【背景技術】
【０００１】
（背景）
従来のワイヤレス電気通信システムでは、基地局内の伝送装置が、セルとして公知の地理的な領域全体に、信号を伝送する。技術の進化が進むにつれて、以前は不可能であったサービスを提供することのできる、より高度なネットワークアクセス装置が導入されてきた。この高度なネットワークアクセス装置は、基地局、または従来のワイヤレス電気通信システム内の同等の装置よりも高度に進化した他のシステムおよびデバイスではなく、例えば、拡張ノードＢ（ＥＮＢ）を含む場合がある。こうした高度なまたは次世代の装置は、本明細書では、ロングタームエボリューション（ＬＴＥ）装置と称される場合がある。ＬＴＥ装置では、ワイヤレスデバイスが電気通信ネットワークへのアクセスを取得可能な領域を、「ホットスポット」等の、「セル」以外の名前で称する場合がある。本明細書中で用いるように、「セル」という用語は、ワイヤレスデバイスが、従来の移動デバイス、ＬＴＥデバイス、または他のデバイスであるかには関係なく、ワイヤレスデバイスが電気通信ネットワークへのアクセスを取得できる任意の領域を称するために使用される。
【０００２】
電気通信ネットワークにおいてユーザが使用する可能性のあるデバイスは、携帯電話、パーソナルデジタルアシスタント、ハンドヘルドコンピュータ、ポータブルコンピュータ、ラップトップコンピュータ、タブレットコンピュータおよび同様のデバイス等の携帯端末、および常駐型（ｒｅｓｉｄｅｎｔｉａｌ）ゲートウェイ、テレビ、セットトップボックス等の固定端末の両方を含むことができる。こうしたデバイスは、本明細書では、ユーザ機器またはＵＥと称される。
【０００３】
ＬＴＥベースのセルのグループは、中央制御として公知の、単一エンティティの制御を受ける場合がある。中央制御は、典型的には、伝送のスケジューリングおよびセルの変調および符号化方式の制御等、セルのグループで、特定のアクティビティを管理および調整する。変調および符号化方式は、二位相偏移変調（ＢＰＳＫ）、四位相偏移変調（ＱＰＳＫ）、直交振幅変調（ＱＡＭ）、または当業者に公知の他の方式を含む場合がある。
【０００４】
ＬＴＥベースの装置によって提供される可能性のあるサービスは、テレビ番組、ストリーミング動画、ストリーミング音声、および他のマルチメディアコンテンツの同報通信またはマルチキャストを含むことができる。こうしたサービスは、通常、マルチメディア同報通信マルチキャストサービス（ＭＢＭＳ）と称される。ＭＢＭＳは、単一セルまたはいくつかの連続または重複セル全体に伝送される場合がある。ＭＢＭＳを受信するセルのセットは、サービスエリアと称することができる。中央制御の制御を受けるサービスエリアおよび領域は、必ずしも一致しない。例えば、中央制御は、その制御を受ける第１のセルのサブセットが第１のＭＢＭＳを配信し、その制御を受ける第２のセルのサブセットが第２のＭＢＭＳを配信するように、指定する場合がある。
【０００５】
複数のセルが重複する場合、重複領域内のＵＥは、複数のＥＮＢからの伝送を受信できる。ＵＥが、複数のＥＮＢから実質的に同一のデータを受信する場合に、ＥＮＢからの伝送は、１つのみのＥＮＢがシグナルを伝送している場合よりも、かなり高い品質のシグナルを提供するために、互いに増強できることが、当該分野において公知である。すなわち、実質的に同一のデータが、実質的に同一の変調および符号化を有する、実質的に同一のリソース上で、実質的に同時に伝送される場合に、より高い信号対雑音比を得ることができる。複数の実質的に同一のシグナルが存在する領域は、単一周波数ネットワーク、またはＳＦＮとして公知である。サービスエリア内のＥＮＢの全てが、実質的に同一のシグナルを有するＭＢＭＳを伝送している場合、サービスエリアは、マルチキャスト／同報通信ＳＦＮ（ＭＢＳＦＮ）と称することができる。
【発明の概要】
【課題を解決するための手段】
【０００６】
本開示のより完全な理解のために、添付の図面および発明を実施するための形態に関して述べられる、以下の簡単な説明を参照する。ここで、同一の参照番号は同一のパーツを表す。
【図面の簡単な説明】
【０００７】
【図１】図１は、本開示の一実施形態に従う、移動通信ネットワークを示す。
【図２】図２は、本発明の一実施形態に従う、移動通信ネットワーク内のセルを示す。
【図３】図３は、本開示の種々の実施形態のいくつかで動作可能な、マルチメディア同報通信マルチキャストサービス伝送の構造の図である。
【図４】図４は、本開示の種々の実施形態のいくつかで動作可能な、複数のマルチキャスト／同報通信の単一周波数ネットワークの図である。
【図５ａ】図５ａは、本開示の種々の実施形態のいくつかの、マルチキャストトランスポートチャネルの構造の図である。
【図５ｂ】図５ｂは、本開示の他の実施形態に従う、マルチキャストトランスポートチャネルの構造の別の実施形態の図である。
【図６】図６は、本開示の一実施形態に従う、マルチキャストトラフィックのスケジューリングのための方法の図である。
【図７ａ】図７ａは、本開示の種々の実施形態のいくつかの、多重化されたマルチメディア同報通信マルチキャストサービス伝送の構造の図である。
【図７ｂ】図７ｂは、本開示の種々の実施形態のいくつかの、多重化されたマルチメディア同報通信マルチキャストサービス伝送の別の構造の図である。
【図８】図８は、本開示の種々の実施形態のいくつかで動作可能なユーザ機器を含む、ワイヤレス通信システムの図である。
【図９】図９は、本開示の種々の実施形態のいくつかで動作可能なユーザ機器のブロック図である。
【図１０】図１０は、本開示の種々の実施形態のいくつかで動作可能なユーザ機器上で実施可能なソフトウェア環境の図である。
【図１１】図１１は、本開示の種々の実施形態のいくつかに適した、汎用コンピュータシステムを示す。
【発明を実施するための形態】
【０００８】
（詳細な説明）
本開示の１つ以上の実施形態の例示的な実施例を以下に示すが、開示されたシステムおよび／または方法は、現在公知であるか、既に存在しているかに関係なく、任意の数の技術を用いて実施してもよいことを理解されたい。本開示は、本明細書中に図示および記載される例示的なデザインおよび実施例を含む、以下に図示される、例示的な実施例、図面、および技術に制限すべきではなく、その均等物の全範囲と共に、添付の請求項の範囲内において、修正してもよい。
【０００９】
一実施形態では、マルチキャスト同報通信単一周波数ネットワーク（ＭＢＳＦＮ）のスケジューリングのために、システムが提供される。システムは、１つ以上のマルチキャストトラフィックチャネル（ＭＴＣＨ）を伝送する、複数の拡張ノードＢ（ＥＮＢ）を促進するように構成される、中央制御を含む。可変スケジューリング期間（ＳＰ）中に、１つ以上のＭＴＣＨが提供され、ＭＢＳＦＮトラフィックコンテンツを含むデータ部分、およびＭＢＳＦＮトラフィックコンテンツに関連するスケジューリング情報を含む可変スケジューリング部分を含む。
【００１０】
別の実施形態では、複数のマルチキャストトラフィックチャネル（ＭＴＣＨ）の提供のために、方法が開示されている。この方法は、単一マルチキャスト同報通信単一周波数ネットワーク（ＭＳＢＦＮ）に属する複数のＭＴＣＨの決定ステップと、複数のＭＴＣＨのための多重化方式の選択ステップとを含む。この方法は、多重化方式に従う、可変スケジューリング期間（ＳＰ）における単一マルチキャストトランスポートチャネル（ＭＣＨ）層に、複数のＭＴＣＨをマッピングするステップを、さらに含み、複数のＭＴＣＨからのトラフィックは、空白のＴＢへのパディング（ｐａｄｄｉｎｇ）を低減するために、ＳＰの複数のトランスポートブロック（ＴＢ）に割り当てられる。
【００１１】
一実施形態では、ワイヤレス電気通信ネットワーク内のネットワーク制御エンティティが、マルチメディア同報通信マルチキャストサービス（ＭＢＭＳ）のスケジューリングのために提供される。ネットワーク制御エンティティは、実質的に一定のサービス速度を有するＭＴＣＨの伝送を促進するように構成されたプロセッサを含む。プロセッサは、伝送されたＭＴＣＨに関連付けられたスケジューリング情報を提供する、セカンダリマルチキャスト制御チャネル（Ｓ−ＭＣＣＨ）を促進するようにさらに構成される。
【００１２】
さらに他の実施形態において、マルチキャスト同報通信単一周波数ネットワーク（ＭＢＳＦＮ）トラフィックコンテンツを受信するために、ユーザ機器が提供される。ユーザ機器は、可変スケジューリング期間（ＳＰ）中に提供され、かつ、ＭＢＳＦＮトラフィックコンテンツを含むデータ部分、およびＭＢＳＦＮトラフィックコンテンツに関連するスケジューリング情報を含む可変スケジューリング部分を含む、１つ以上のマルチキャストトラフィックチャネル（ＭＴＣＨ）伝送を受信するように構成された、プロセッサを含む。プロセッサはさらに、ＭＴＣＨのうちの１つ以上を受信するために、スケジューリング部分内のスケジューリング情報を使用するように構成される。
【００１３】
別の実施形態では、単一マルチキャスト同報通信単一周波数ネットワーク（ＭＳＢＦＮ）同報通信を受信するように構成されるプロセッサを含む、ユーザ機器が提供される。複数の多重化されたＭＴＣＨを含む同報通信は、可変スケジューリング期間（ＳＰ）にわたって、単一マルチキャストトランスポートチャネル（ＭＣＨ）層に、多重化方式に従って、マッピングされる同報通信を含む。複数のＭＴＣＨからのトラフィックは、空白のＴＢ内のパディングを低減するために、ＳＰの複数のトランスポートブロック（ＴＢ）に割り当てられる。プロセッサはさらに、複数のＭＴＣＨのうちの１つを受信するために、スケジューリング期間を分析するために、多重化方式に関連する逆多重化方式を使用するように構成される。
【００１４】
図１は、本開示の一実施形態に従う、例示的な移動体通信ネットワーク１００を図示する。移動体通信ネットワーク１００は、複数のセル１０２１、１０２２、１０２３、１０２４、１０２５、１０２６、１０２７、１０２８、１０２９、１０２１０、１０２１１、１０２１２、１０２１３、および１０２１４（セル１０２と総称される）を含んでもよい。当業者には明らかなように、セル１０２のそれぞれは、拡張ノードＢ（ＥＮＢ）からの通信によって、移動体通信ネットワーク１００の移動体通信サービスを提供するための受信可能エリアを表す。セル１０２は、重複しない受信可能エリアを有するものとして図示されているが、当業者は、セル１０２のうちの１つ以上は、隣接セルと部分的に重複する受信可能領域を有してもよいことを理解されよう。さらに、特定の数のセル１０２が図示されているが、当業者は、移動体通信ネットワーク１００により多いまたは少ないセル１０２を含んでもよいことを理解されよう。
【００１５】
セル１０２のそれぞれに、１つ以上のＵＥ１０が存在してもよい。１つのみのセル１０２１２内に１つのみのＵＥ１０が図示されているが、セル１０２のそれぞれに、複数のＵＥ１０が存在してもよいことが、当業者に明らかであろう。セル１０２のそれぞれのＥＮＢ２０は、従来の基地局のものと同様の機能を実行する。すなわち、ＥＮＢ２０は、ＵＥ１０および電気通信ネットワーク内の他のコンポーネントの間の無線リンクを提供する。また、ＥＮＢ２０は、セル１０２１２内のみに示されているが、ＥＮＢは、セル１０２のそれぞれに存在することを、理解されたい。さらに、ＥＮＢ２０以外の無線リンクを使用できる。中央制御１１０は、セル１０２およびその対応するＥＮＢ２０のために中央化された管理および調整を提供することによって、セル１０２内のワイヤレスデータ伝送を監視する。
【００１６】
本開示において、移動体通信システムまたはセル１０２は、シグナル伝送等の特定のアクティビティに関するものとして記載されているが、当業者には容易に明らかであるように、これらのアクティビティは、実際には、セルを含むコンポーネントによって実行される。一例として、図２は、セル１０２１２のより詳細な図を示す。セル１０２１２内のＥＮＢ２０は、トランスミッタ２７、レシーバ２９、および／または他の公知の装置を介して、通信を促進できる。また、他のセル１０２内に同様の装置が存在してもよい。他のセル１０２内と同様に、複数のＵＥ１０が、セル１０２１２内に存在する。
【００１７】
セル１０２の１つ以上におけるＭＢＭＳの伝送は、２つのコンポーネント、マルチキャスト制御チャネル（ＭＣＣＨ）およびマルチキャストトラフィックチャネル（ＭＴＣＨ）を含むことができる。ＭＴＣＨは、ＭＢＭＳの実際のコンテンツを配信し、一方で、ＭＣＣＨは、ＭＢＭＳに関連する制御情報を配信する。ＭＣＣＨは、ＭＴＣＨ内のコンテンツがどのように配信されるかを指定する、重要な制御情報を含んでもよい。ＭＣＣＨの構成情報は、同報通信制御チャネル（ＢＣＣＨ）内に伝送してもよい。セル１０２のそれぞれは、ＵＥ１０に、セル１０２で利用可能なＭＢＭＳについての情報および他の情報を提供するために、ＢＣＣＨにおいて情報を伝送してもよい。ＵＥ１０のうちの１つが電力をアップさせる（ｐｏｗｅｒ  ｕｐ）場合、ＢＣＣＨを受信し、ＢＣＣＨ内に含まれるＭＣＣＨ構成を読み出し、１つ以上のＭＴＣＨをどのように受信するかを、ＭＣＣＨ制御情報から決定することができる。
【００１８】
ＭＣＣＨ制御情報は、２つの部分、すなわち、マスター制御情報およびサービス制御情報に分けてもよい。マスター制御情報は、プライマリＭＣＣＨ（Ｐ−ＭＣＣＨ）情報と称することもでき、サービス制御情報は、セカンダリＭＣＣＨ（Ｓ−ＭＣＣＨ）情報と称することもできる。Ｓ−ＭＣＣＨ情報は、ＭＴＣＨをどのように受信可能であるかについての情報を含むことができる。Ｐ−ＭＣＣＨ情報は、Ｓ−ＭＣＣＨ情報を直接含むことができる、または、Ｓ−ＭＣＣＨ情報を読み出すことができる位置へのポインタを含むことができる。
【００１９】
Ｓ−ＭＣＣＨ情報は、１つ以上のＭＴＣＨ伝送のための制御情報を含んでもよい。これは、１つ以上のＭＴＣＨのためのスケジューリング情報、１つ以上のＭＴＣＨのための変調および符号化情報、およびＳＦＮ関連のパラメータを含んでもよい。複数のＭＴＣＨが、単一のＥＮＢ２０によって伝送されることがあり、Ｓ−ＭＣＣＨ情報の異なるセットが、それぞれのＭＴＣＨで必要になることがあるため、Ｓ−ＭＣＣＨ情報の複数のセットは、単一のＥＮＢ２０によって伝送されたＢＣＣＨに関連付けられる場合がある。
【００２０】
ＭＴＣＨおよびＭＣＣＨは、論理的な、上層チャネルである。ＭＴＣＨおよびＭＣＣＨが伝達される下層トランスポートチャネルは、典型的には、ＭＢＭＳマルチキャストチャネル、マルチキャストトランスポートチャネル、または、ＭＢＳＦＮの場合には（マルチセル動作）の場合には、単に、ＭＣＨと称される。図３は、ＭＢＭＳ伝送３００の構造を示す。伝送３００は、ＭＣＣＨ部分３１０およびＭＴＣＨ部分３２０を含む。ＭＣＣＨ３１０およびＭＴＣＨ３２０は、ＭＣＨ層３３０にトランスポートされる。ＭＣＣＨ３１０は、Ｐ−ＭＣＣＨ部分３１２およびＳ−ＭＣＣＨ部分３１４を含む。ＭＴＣＨ部分３２０は、それぞれ、異なるＭＢＭＳに対応する、複数の個々のＭＴＣＨ３２２を含む。４つのＭＴＣＨ３２２が示されているが、より多いまたは少ない数のＭＴＣＨ３２２が存在する場合がある。さらに、同じＭＣＨ層３３０上に伝達されるものとして、ＭＣＣＨ部分３１０およびＭＴＣＨ部分３２０が示されているが、いくつかの場合では、ＭＣＣＨ部分３１０およびＭＴＣＨ部分３２０は、異なるＭＣＨ上で伝達されてもよい。
【００２１】
図４は、ＭＢＭＳ伝送３００等の、複数のＭＢＭＳ伝送の同報通信および／またはマルチキャストが生じる、複数のＭＢＳＦＮを図示する。第１のＭＢＳＦＮ４２０は、セル１０２１、１０２２、１０２４、１０２６、１０２７、１０２９、１０２１１、および１０２１２を含む。第２のＭＢＳＦＮ４３０は、セル１０２３、１０２６、および１０２８を含む。第３のＭＢＳＦＮ４４０は、セル１０２５、１０２７、および１０２１０を含む。すなわち、第１のＭＢＭＳの同報通信および／またはマルチキャストは、第１のＭＢＳＦＮ４２０内で生じるものと想定することができ、第２のＭＢＭＳの同報通信および／またはマルチキャストは、第２のＭＢＳＦＮ４３０で生じるものとして想定することができ、第３のＭＢＭＳの同報通信および／またはマルチキャストは、第３のＭＢＳＦＮ４４０で生じるものとして想定することができる。
【００２２】
セル１０２６は、第１のＭＢＳＦＮ４２０および第２のＭＢＳＦＮ４３０の両方に属し、従って、第１および第２のＭＢＭＳの両方の同報通信および／またはマルチキャストは、セル１０２６で生じるものとして想定することができる。セル１０２７は、第１のＭＢＳＦＮ４２０および第３のＭＢＳＦＮ４４０の両方に属し、従って、第１および第３のＭＢＭＳの両方の同報通信および／またはマルチキャストは、セル１０２７内で生じるものとして想定することができる。他のＭＢＭＳの同報通信および／またはマルチキャストは、セル１０２で生じる場合があるため、他のＭＢＳＦＮが存在する可能性があるが、これは図示されていない。
【００２３】
ＭＢＭＳサービスのデータパケットのサイズは動的であるため、典型的に、特定のレベルの動的スケジューリングが必要である。データは、通常、長さが１ｍｓであるサブフレームを使用して、ＵＥと通信してもよい。これらのサブフレームは、スケジューリング部分およびデータ部分を含む。この環境において、ＵＥは、サブフレームが、ＵＥへの所望の任意のデータを含んでいるかどうかを決定するために、各サブフレームのスケジュールを読み込む必要がある。しかしながら、ＭＢＭＳトラフィック速度は、より短い期間にわたって、実質的に一定としてもよいが、ＭＢＭＳトラフィック速度は、より長い期間にわたって動的である傾向がある。従って、それぞれ、スケジューリングオーバーヘッドを有する１ｍｓのサブフレームを使用する代わりに、本開示は、数ミリ秒から数秒の長さにしてもよい、様々な長さのスケジューリング期間（ＳＰ）を提案する。オーバーヘッドを低減するために、スケジューリング期間全体のスケジューリング情報が、データ部分に提供されるデータの前のスケジューリング部分に前入れ（ｆｒｏｎｔ−ｌｏａｄｉｎｇ）される。ＵＥは、より短い１ｍｓサブフレームのための多数のスケジュールを読み込むためのウェーキング（ｗａｋｉｎｇ）と比較して、より長い伝送に関連するスケジュールを読み込むためのウェーキングによって、効率性を得てもよい。さらに、伝送されたデータが、ＵＥにとって重要なものでない場合、ＵＥは、より長い伝送期間中のスリーピングによって、電力を保存し、電池寿命を延ばしてもよい。
【００２４】
図５ａは、単一スケジューリング期間（ＳＰ）のための、ＭＣＨ４５０の構造の一実施形態を図示する。上述のように、ＳＰの長さは様々であってもよく、例えば、１ミリ秒（ｍｓ）から数秒であってもよい。いくつかの実施形態では、ＳＰは、約１００ミリ秒より長く、かつ、数秒よりも短くしてもよい。さらに、ＳＰは、経時的に動的であってもよい。例えば、各ＳＰは以前のＳＰとは異なる永続時間、１００ｍｓを有してもよく、ＳＰは、ある期間の間、確立してもよく、次に、いくつかの永続時間では、５００ｍｓのＳＰに変化してもよい。
【００２５】
ＳＰ中のＭＣＨ４５０は、スケジューリング部分４５２およびデータ部分４５４を含んでもよい。ＭＣＨ４５０のスケジューリング部分４５２は、開始時間、終了時間、および永続時間情報を含むサービスタイミング等の、データ部分４５４に関連するスケジューリング情報を含んでもよい。スケジューリング情報は、さらに、周期性およびリソース割り当て情報を含み得る。スケジューリング部分４５２は、さらに、特定の伝送されたサービスに関連付けられたデータ変調方式およびサービスＩＤ等のさらなるスケジューリング情報を含んでもよい。スケジューリング部分４５２は、データ部分４５４に先行してもよく、提供することが必要なスケジューリング情報によって、様々な長さにしてもよい。このため、ＳＰおよびスケジューリング部分４５２の両方の長さは、可変であってもよい。
【００２６】
データ部分４５４は、スケジューリング部分４５２に後続してもよく、ＭＣＨ４５０のＳＰの残りの長さを含んでもよい。データ部分４５４は、テレビ番組、ストリーミング動画、および他のマルチメディアコンテンツ等の、ＭＢＭＳ（複数のＭＴＣＨ）の実際のトラフィックコンテンツを含んでもよい。
【００２７】
図５ｂは、ＭＣＨ４５０の構造の別の実施形態を図示する。ストリーミング動画等の動的データ速度を有するＭＢＭＳサービスにおいて、動的スケジューリング情報は、上記のように、スペクトル効率を向上させるために、ＵＥに送信されてもよい。しかしながら、いくつかのＭＢＭＳサービスは、ストリーミング音声等の一定または実質的に一定のサービス速度、株式市場データ等のいくつかのテキストサービス、および永続データ速度を有する他の種類のサービスを有してもよく、これらは全て、本明細書中では、永続的サービスと称される。これらの一定または実質的に一定の速度のサービスは、動的スケジューリング構成を必ずしも必要としなくてもよい。別の実施形態に従い、本開示は、スケジューリング部分４５２における動的サービスのスケジューリング情報を、実質的に上記のように提供する一方で、これらの一定または実質的に一定の速度のサービスのための、Ｓ−ＭＣＣＨ内の永続的スケジューリング情報４６０の提供を検討する。このため、一定または実質的に一定の速度を有する任意のサービスのための永続的スケジューリング情報４６０が、スケジューリング部分４５２内のさらなるスケジューリング情報またはデータ部分４５４内のさらなるコンテンツのためのスペースをフリーにしてもよい、Ｓ−ＭＣＣＨに提供されている。
【００２８】
スケジューリング決定は、中央制御１１０において行われてもよく、実際の伝送のためにＥＮＢ２０に配信されてもよい。中央制御１１０が、各サービスの伝送率特性を決定し、かつ、サービスタイミング、周期性等のスケジューリング情報、Ｓ−ＭＣＣＨまたはＭＣＨ内のＳＰのスケジューリング部分のいずれかにおいて、関連するスケジューリング情報をどこにロードするかに関し、ＥＮＢに指示することが検討される。一実施形態では、中央制御は、動的な速度のサービスのみの伝送から、ＵＥへのいくつかの実質的に一定の速度のサービスを含むことへ、ＥＮＢが移行していることを認識してもよい。中央制御は、ＭＴＣＨまたはＰ−ＭＣＣＨの代わりに、１つまたは複数のＳＰにおいて永続してもよいスケジューリング情報を配信するために、ＭＣＨトランスポート層のＳ−ＭＣＣＨを再構成してもよい。
【００２９】
図６は、ＵＥ１０へのＭＢＭＳの伝送のスケジューリングのために実施してもよい、方法２００の一実施形態を図示する。ブロック２１０では、所与のＳＰのためのスケジューリング決定は、中央制御１１０において行われる。複数のセル間のスケジューリング情報は、電気通信ネットワークを通じてＭＢＳＦＮにおいて生じるＭＢＭＳ伝送を認識する、中央制御１１０において、処理および調整してもよい。ブロック２２０では、スケジューリング決定は、中央制御１１０から、個々のセル１０２における個々のＥＮＢ２０へ、送信される。ブロック２３０では、スケジューリング情報は、トラフィック開始時間、周期性、割り当てられたリソース、サービス識別またはＩＤ、および、おそらくは、他の情報も含む、個々のＥＮＢ２０におけるＭＣＨ４５０のスケジューリング部分４５４に追加される。ブロック２４０では、スケジューリング情報は、ＥＮＢ２０からセル内の個々のＵＥ１０へ伝送され、ここで、ＥＮＢ２０は、各ＳＰの開始時において、トラフィックコンテンツ以外にスケジューリング情報を含むＭＣＨ４５０を伝送してもよい。
【００３０】
単一ＭＢＳＦＮが複数の伝送されたＭＴＣＨを含む場合、複数のＭＴＣＨは、ＭＣＨトランスポート層へマッピングされてもよい。さらに、ＭＣＨ層におけるＳＰサイズを増大させることで、より円滑なトラフィック伝送を実現させてもよい。複数のＭＴＣＨは、単一ＭＣＨトランスポート層に多重化されてもよく、ここで、異なるＭＴＣＨは、同じサブフレームを占有してもよいため、サブフレーム内に、ゼロの、または少ない数の空白伝送ブロック（ＴＢ）が生じる。そのため、ＳＰ内のゼロまたは少ない数のＴＢは、空白のままでもよく、こうして、空白ＴＢの伝送オーバーヘッドおよびパディングを低減させてもよい。例えば、図３内のＭＴＣＨ３２０のうちの４つ以下を、一度に１つのＳＰで、複数のＳＰにおいて多重化してもよい。結果として生じる多重化されたＭＣＨは、多重化されたデータのためのスケジューリング部分４５２、および多重化されたデータ部分４５４を含む、ＭＣＨ４５０への単一のＳＰにおいて、フォーマットが同様であってもよい。多重化されたＭＣＨは、さらに、ＳＰと共に変化する異なるフォーマットを有してもよい。複数のＭＴＣＨトラフィックのスケジューリングの場合と同様に、ＭＴＣＨの多重化を、中央制御１１０において開始してもよい。中央制御１１０は、多数のサービスをどのように、およびどのサービスを、ＳＰ内で共に多重化してもよいかどうか、ということと共に、複数のＭＴＣＨの多重化構成の決定等の、多重化決定／オプションを指定してもよい。中央制御１１０は、ＥＮＢ２０に多重化情報を送信してもよく、ここで、ＭＴＣＨを、ＵＥ１０に伝送してもよい。
【００３１】
図７ａは、ＭＣＨのＳＰにおいて、多重化されたデータの一実施形態７００を図示する。具体的には、図３の４つのＭＴＣＨ３２０のうちの３つ、ＭＴＣＨ１、ＭＴＣＨ２、およびＭＴＣＨ３を、周波数優先多重化方式を用いて、ＭＣＨに多重化してもよい。周波数優先多重化方式７００において、３つのＭＴＣＨからのサービストラフィックは、ＳＰのサブフレーム、７０２、７０４、７０６、７０８、７１０、および７１２にマッピングされてもよく、ここで、ＳＰ内の各サブフレームは、３つ全てのＭＴＣＨからのトラフィックを含む複数のＴＢを含んでもよい。１つのＭＴＣＨからのトラフィックが完全に伝送されると、サブフレームは、ＭＢＳＦＮ内の残りのＭＴＣＨからのトラフィックを含んでもよい。例えば、ＳＰ、７０２、７０４、および７０６の最初の３つのサブフレームは、ＭＴＣＨ１およびＭＴＣＨ３トラフィックのいくつかと共に、ＭＴＣＨ２トラフィック全体を含んでもよい。残りの３つのサブフレーム、７０８、７１０、および７１２は、ＭＴＣＨ２トラフィック全体は、最初の３つのサブフレームに既に伝送されているため、ＭＴＣＨ２ではなく、ＭＴＣＨ１およびＭＴＣＨ３のための残りのトラフィックを含んでもよい。３つ全てのＭＴＣＨのサービスデータは、第１のＳＰの開始時から伝送されるため、周波数優先方式７００は、同時に伝送された全てのサービスの時間遅延を低減してもよい。
【００３２】
図７ｂは、ＭＣＨ内の多重化されたデータの別の実施形態７２０を図示し、ここで、３つのＭＴＣＨ３２０は、時間優先多重化方式を用いて多重化される。時間優先多重化方式７２０において、３つのＭＴＣＨサービスは、順次、あるＭＴＣＨから次のものへ、ＳＰサブフレームにマッピングしてもよい。例えば、ＭＴＣＨ１は、第１のサブフレーム７０２、７０４、７０６が、ＭＴＣＨ１サービスデータ全体を含むまで、ＳＰ、７０２、７０４の第１のサブフレームおよび７０６のパーツに、まず、マッピングされてもよい。同様に、ＭＴＣＨ２およびＭＴＣＨ３は、ＳＰの次のサブフレームに、一度に１つ、マッピングされてもよい。そのため、時間優先多重化方式７２０は、周波数優先多重化方式７００の対応するＭＴＣＨ２およびＭＴＣＨ３伝送遅延と比較して、ＭＴＣＨ２およびＭＴＣＨ３の伝送遅延を引き起こすことがある。しかしながら、時間優先多重化方式７２０を使用すると、ＭＢＭＳがそもそもインタラクティブなサービスではなく、そのため、遅延による影響を受けやすいわけではないことを考慮すると、導入された伝送遅延は、それほど影響が大きくない可能性がある。
【００３３】
時間優先多重化方式７２０において、サブフレームは、移行的なサブフレーム内の空白ＴＢの数を回避または低減するために、あるＭＴＣＨから別のＭＴＣＨへの移行中に、２つのＭＴＣＨからのトラフィックを含んでもよい。例えば、サブフレーム７０６は、ＭＴＣＨ１トラフィックと共にＭＴＣＨ２トラフィックを含んでもよく、ここで、時間優先多重化方式７２０は、最後に残ったＭＴＣＨ１トラフィックデータの伝送から、ＭＴＣＨ２トラフィックの第１のデータの伝送へと、移行してもよい。他の実施形態では、サブフレームは複数のＭＴＣＨからのトラフィックを含んでもよく、ここで、サブフレームのサイズは、ＭＴＣＨのうちの少なくとも１つのトラフィック全体を受け入れるために、少なくとも十分大きくしてもよい。例えば、サブフレーム７０６は、ＭＴＣＨ２トラフィック全体が、サブフレーム７０６の残りのサイズよりも小さい場合に、ＭＴＣＨ１データの最後およびＭＴＣＨ２トラフィック全体を含んでもよい。さらに、ＭＴＣＨ２トラフィック全体が、サブフレーム７０６の残りのサイズよりも十分小さい場合、サブフレーム７０６は、さらに、ＭＴＣＨ３トラフィックの第１のデータを含んでもよい。
【００３４】
ＭＴＣＨサービスデータを受信するために、ＵＥは、ウェークアップモードにする、すなわち、オンにしなければならない場合がある。周波数優先多重化方式７００の場合、例えば、ＭＴＣＨ１のみの受信に関する、ＵＥ１０ａを、ＳＰ永続時間全体を通して、ウェークアップモードにする必要がある。ＭＴＣＨ１トラフィックは、ＳＰのサブフレーム全体に沿って伝送されるため、ＵＥ１０ａは、伝送期間全体を通じて、ウェークアップモードにする必要がある。一方で、時間優先多重化方式７２０では、ＭＴＣＨ１のみの受信に関するＵＥは、第１のサブフレーム、ＭＴＣＨ１トラフィック全体を含むＳＰの７０２、７０４、および７０６中にウェークアップモードにしてもよい。ＭＴＣＨ１トラフィックが伝送されたＳＰサブフレームに残っていない場合、ＵＥはオフにしてもよい。同様に、ＭＴＣＨ２のみの受信に関してもよいＵＥ１０ｂを、ＭＴＣＨ２トラフィック、すなわち、サブフレーム７０６を含むＳＰ内の第１のサブフレームが伝送されている場合に、オンにしてもよい。
【００３５】
トラフィックスケジューリングおよび多重化を、ＳＰの開始時に実行してもよいため、ＵＥは、電池寿命および電力消費量を節約するために、間欠受信制御（ＤＲｘ）挙動を利用してもよい。効率的なＤＲｘ挙動は、ＳＰの小さい部分の間、ＵＥがオンになっている場合に実行してもよく、ここで、ＥＮＢからトラフィックデータが伝送される。ＳＰの永続時間全体にわたって、ウェークアップモードを維持する代わりに、ＵＥは、ＳＰの残りの期間はオフにされる。
【００３６】
図８は、ＵＥ１０の一実施形態を含むワイヤレス通信システムを図示する。ＵＥ１０は、本開示の態様を実施するために動作可能であるが、本開示はこれらの実施例に制限すべきではない。携帯電話として図示されているが、ＵＥ１０は、ワイヤレスハンドセット、ポケベル、パーソナルデジタルアシスタント（ＰＤＡ）、ポータブルコンピュータ、タブレットコンピュータ、またはラップトップコンピュータを含む種々の形態を取ってもよい。多数の適したデバイスで、これらの機能のいくつかまたは全てが組み合わせられる。本開示のいくつかの実施形態では、ＵＥ１０は、ポータブル、ラップトップまたはタブレットコンピュータのような汎用コンピューティングデバイスではなく、携帯電話、ワイヤレスハンドセット、ポケベル、ＰＤＡ、または車内に搭載される電気通信デバイス等の、特化した通信デバイスである。別の実施形態では、ＵＥ１０は、ポータブル、ラップトップまたは他のコンピューティングデバイスにしてもよい。ＵＥ１０は、ゲーム、在庫制御、ジョブ制御、および／またはタスク管理機能等の、特化したアクティビティをサポートしてもよい。
【００３７】
ＵＥ１０は、ディスプレイ４０２を含む。ＵＥ１０はさらに、ユーザによる入力のために、概して４０４と称されるタッチ操作面、キーボードまたは他の入力キーを含む。キーボードは、ＱＷＥＲＴＹ、Ｄｖｏｒａｋ、ＡＺＥＲＴＹ、およびシーケンシャルタイプ、または電話キーパッドに関連付けられるアルファベット文字を有する従来の数字キーパッド等の、完全なまたは簡略化された英数字キーパッドにしてもよい。入力キーは、さらなる入力機能を提供するために、内側方向に押し下げてもよい、トラックホイール、ｅｘｉｔまたはｅｓｃａｐｅキー、トラックボール、および他のナビゲーションまたは機能キーを含んでもよい。ＵＥ１０は、ユーザが選択するオプション、ユーザが作動させる制御、および／またはユーザが方向付けるカーソルまたは他のポインタを示してもよい。
【００３８】
ＵＥ１０はさらに、ＵＥ１０の動作を構成するための、ダイヤルする番号または種々のパラメータ値を含む、ユーザからのデータ入力を受け入れてもよい。ＵＥ１０はさらに、ユーザコマンドに応答して、１つ以上のソフトウェアまたはファームウェアアプリケーションを実行してもよい。これらのアプリケーションは、ユーザインタラクションに応答して、種々のカスタマイズされた機能を実行するために、ＵＥ１０を構成してもよい。さらに、ＵＥ１０は、例えば、ワイヤレス基地局、ワイヤレスアクセスポイント、またはピアＵＥ１０から、無線でプログラムおよび／または構成してもよい。
【００３９】
ＵＥ１０で実行可能な種々のアプリケーションに、ウェブブラウザがあり、これにより、ディスプレイ４０２は、ウェブページを示すことができる。ウェブページは、ワイヤレスネットワークアクセスノード、セルタワー、ピアＵＥ１０、または任意の他のワイヤレス通信ネットワークまたはシステム４００によって、ワイヤレス通信を介して、取得してもよい。ネットワーク４００はインターネット等の有線ネットワーク４０８に接続される。ワイヤレスリンクおよび有線ネットワークを介して、ＵＥ１０は、サーバ４１０等の種々のサーバ上の情報へのアクセスを有する。サーバ４１０は、ディスプレイ４０２に示されてもよいコンテンツを提供してもよい。あるいは、ＵＥ１０は、リレータイプまたはホップタイプの接続において、中間物として働くピアＵＥ１０を通って、ネットワーク４００にアクセスしてもよい。
【００４０】
図９は、ＵＥ１０のブロック図を示す。ＵＥ１０の種々の公知のコンポーネントが示されているが、一実施形態では、リストされたコンポーネントおよび／またはリストされていないさらなるサブセットは、ＵＥ１０に含まれてもよい。ＵＥ１０は、デジタルシグナルプロセッサ（ＤＳＰ）５０２およびメモリ５０４を含む。示されるように、ＵＥ１０はさらに、アンテナおよびフロントエンド装置５０６、無線周波数（ＲＦ）トランシーバ５０８、アナログベースバンド処理装置５１０、マイクロフォン５１２、イヤホンスピーカ５１４、ハンドセットポート５１６、入出力インターフェース５１８、取り外し可能メモリカード５２０、ユニバーサルシリアルバス（ＵＳＢ）ポート５２２、短距離ワイヤレス通信サブシステム５２４、アラート５２６、キーパッド５２８、タッチ操作面５３０を含んでもよい液晶ディスプレイ（ＬＣＤ）、ＬＣＤコントローラ５３２、電荷結合デバイス（ＣＣＤ）カメラ５３４、カメラコントローラ５３６、およびグローバルポジショニングシステム（ＧＰＳ）センサ５３８を含んでもよい。一実施形態では、ＵＥ１０は、タッチ操作画面を提供しない別の種類のディスプレイを含んでもよい。一実施形態では、ＤＳＰ５０２は、入出力インターフェース５１８を通過することなく、メモリ５０４と直接通信してもよい。
【００４１】
ＤＳＰ５０２またはコントローラあるいは中央処理装置のいくつかの他の形式は、メモリ５０４内に格納される、またはＤＳＰ５０２内自体に含まれるメモリ内に格納される、埋め込みソフトウェアまたはファームウェアに従って、ＵＥ１０の種々のコンポーネントを制御するために、動作する。埋め込みソフトウェアまたはファームウェアに加え、ＤＳＰ５０２は、メモリ５０４に格納される、または取り外し可能メモリカード５２０のようなポータブルデータストレージメディア等の情報伝達媒体、または有線あるいはワイヤレスネットワーク通信を介して利用可能になる、他のアプリケーションを実行してもよい。アプリケーションソフトウェアは、所望の機能性を提供するために、ＤＳＰ５０２を構成するマシン読み込み可能な命令のコンパイルされたセットを含んでもよい、またはアプリケーションソフトウェアは、図ＤＳＰ５０２を間接的に構成するために、インタープリタまたはコンパイラによって処理される高度なソフトウェア命令にしてもよい。
【００４２】
アンテナおよびフロントエンド装置５０６は、ワイヤレスシグナルおよび電気的シグナルの間を切り替えるために提供されてもよく、これにより、ＵＥ１０は、移動体通信ネットワークまたはいくつかの他の利用可能なワイヤレス通信ネットワークからの、またはピアＵＥ１０からの情報を送受信することができる。一実施形態では、アンテナおよびフロントエンド装置５０６は、ビーム形成および／または複数入力複数出力（ＭＩＭＯ）動作をサポートするために、複数のアンテナを含んでもよい。当業者には公知であるように、ＭＩＭＯ動作は、困難なチャネル条件を克服する、および／またはチャネルのスループットを向上させるために使用可能な、空間的多様性を提供してもよい。アンテナおよびフロントエンド装置５０６は、アンテナチューニングおよび／またはインピーダンス一致コンポーネント、ＲＦ電力増幅器、および／または低雑音増幅器を含んでもよい。
【００４３】
ＲＦトランシーバ５０８は、周波数偏移、受信したＲＦシグナルのベースバンドへの変換、およびベースバンド伝送シグナルのＲＦへの変換を提供する。いくつかの記載において、無線トランシーバまたはＲＦトランシーバは、変調／復調、符号化／復号化、インターリーブ／逆インターリーブ、拡散／非拡散、逆高速フーリエ変換（ＩＦＦＴ）／高速フーリエ変換（ＦＦＴ）、サイクリックプリフィクス追加／除去、および他のシグナル処理機能等の、他のシグナル処理機能を含むことが理解される場合がある。便宜上、ここでの記載は、ＲＦおよび／または無線ステージと、このシグナル処理の記載を別にしており、また、アナログベースバンド処理装置５１０および／またはＤＳＰ５０２または他の中央処理装置へのそのシグナル処理を、概念的に割り当てる。いくつかの実施形態において、ＲＦトランシーバ５０８、アンテナおよびフロントエンド５０６の一部、およびアナログベースバンド処理装置５１０は、１つ以上の処理装置および／または特定用途向け集積回路（ＡＳＩＣ）に組み合わせてもよい。
【００４４】
アナログベースバンド処理装置５１０は、入力および出力の種々のアナログ処理、例えば、マイクロフォン５１２およびハンドセット５１６からの入力およびイヤホン５１４およびハンドセット５１６への出力のアナログ処理を提供してもよい。そのために、アナログベースバンド処理装置５１０は、ＵＥ１０を携帯電話として使用できるようにする、内蔵マイクロフォン５１２およびイヤホンスピーカ５１４への接続のためのポートを有してもよい。アナログベースバンド処理装置５１０はさらに、ハンドセットまたは他のハンズフリーマイクロフォンおよびスピーカ構成への接続のためのポートを有してもよい。アナログベースバンド処理装置５１０は、あるシグナル方向におけるデジタル・アナログ変換、および反対のシグナル方向におけるアナログ・デジタル変換を提供してもよい。いくつかの実施形態では、アナログベースバンド処理装置５１０の機能の少なくともいくつかを、デジタル処理コンポーネント、例えば、ＤＳＰ５０２または他の中央処理装置によって、提供してもよい。
【００４５】
ＤＳＰ５０２は、変調／復調、符号化／復号化、インターリーブ／逆インターリーブ、拡散／非拡散、逆高速フーリエ変換（ＩＦＦＴ）／高速フーリエ変換（ＦＦＴ）、サイクリックプリフィクス追加／除去、およびワイヤレス通信に関連付けられる他のシグナル処理機能を実行してもよい。一実施形態では、例えば符号分割多元接続（ＣＤＭＡ）技術の応用例において、トランスミッタ機能のために、ＤＳＰ５０２は、変調、符号化、インターリーブ、および拡散を実行してもよく、レシーバ機能のために、ＤＳＰ５０２は、非拡散、逆インターリーブ、復号化、および復調を実行してもよい。別の実施形態では、例えば、直交波周波数分割多重アクセス（ＯＦＤＭＡ）技術の応用例において、トランスミッタ機能のために、ＤＳＰ５０２は、変調、符号化、インターリーブ、逆高速フーリエ変換、およびサイクリックプリフィクス追加を実行してもよく、レシーバ機能のために、ＤＳＰ５０２は、サイクリックプリフィックス除去、高速フーリエ変換、逆インターリーブ、復号化、および復調を実行してもよい。他のワイヤレス技術の応用例において、さらに他のシグナル処理機能およびシグナル処理機能の組み合わせを、ＤＳＰ５０２によって、実行してもよい。
【００４６】
ＤＳＰ５０２は、アナログベースバンド処理装置５１０を介して、ワイヤレスネットワークと通信してもよい。いくつかの実施形態では、通信は、インターネット接続を提供してもよく、こうして、ユーザは、インターネット上のコンテンツへのアクセスを得ることができ、電子メールまたはテキストメッセージを送受信することができる。入出力インターフェース５１８は、ＤＳＰ５０２および種々のメモリおよびインターフェースと相互接続する。メモリ５０４および取り外し可能なメモリカード５２０は、ＤＳＰ５０２の動作を構成するために、ソフトウェアおよびデータを提供してもよい。インターフェースでは、ＵＳＢインターフェース５２２および短距離ワイヤレス通信サブシステム５２４にしてもよい。ＵＥ１０を充電するためにＵＳＢインターフェース５２２を使用してもよく、パーソナルコンピュータまたは他のコンピュータシステムと情報を交換するために、ＵＥ１０を周辺デバイスとして機能させてもよい。短距離ワイヤレス通信サブシステム５２４は、ＵＥ１０が、他の隣接する携帯デバイスおよび／またはワイヤレス基地局とワイヤレスで通信することを可能にしてもよい、赤外線ポート、ブルートゥースインターフェース、ＩＥＥＥ８０２．１１準拠ワイヤレスインターフェース、または任意の他の短距離ワイヤレス通信サブシステムを含んでもよい。
【００４７】
入出力インターフェース５１８はさらに、トリガされた場合に、ＵＥ１０が、例えば、呼び出し音、メロディの演奏、または振動によって、ユーザに通知できるようにする、アラート５２６へＤＳＰ５０２を接続させてもよい。アラート５２６は、着信、新しいテキストメッセージ、および約束のリマインダ等の、種々のイベントのいずれかへ、無音の振動、または特定の発信者のための特定の事前指定されたメロディの再生によって、ユーザに注意を促すためのメカニズムとして機能してもよい。
【００４８】
キーパッド５２８は、ユーザが、選択を実行する、情報を入力する、およびＵＥ１０への入力を実行するためのあるメカニズムを提供するために、インターフェース５１８を介して、ＤＳＰ５０２に連結する。キーボード５２８は、ＱＷＥＲＴＹ、Ｄｖｏｒａｋ、ＡＺＥＲＴＹおよびシーケンシャルタイプ、または電話キーパッドに関連付けられるアルファベット文字を有する従来の数字キーパッド等の、完全なまたは簡略化英数字キーパッドにしてもよい。入力キーは、トラックホイール、ｅｘｉｔまたはｅｓｃａｐｅキー、トラックボール、およびさらに入力機能を提供するために内部に押し下げられてもよい、他のナビゲーションまたは機能キーを含んでもよい。別の入力メカニズムは、タッチスクリーン機能を含んでもよい、さらに、ユーザへテキストおよび／またはグラフィックス表示してもよい、ＬＣＤ５３０にしてもよい。また、ＬＣＤコントローラ５３２は、ＤＳＰ５０２をＬＣＤ５３０へ連結する。
【００４９】
装備されている場合、ＣＣＤカメラ５３４により、ＵＥ１０は、デジタル画像を撮影することができる。ＤＳＰ５０２は、カメラコントローラ５３６を介して、ＣＣＤカメラ５３４と通信する。別の実施形態では、電荷結合デバイスカメラ以外の技術によって動作するカメラを使用してもよい。ＧＰＳセンサ５３８は、グローバルポジショニングシステムシグナルを復号化するために、ＤＳＰ５０２に結合されるため、ＵＥ１０は、その位置を決定することができる。さらに、さらなる機能、例えば、ラジオおよびテレビの受信を提供するために、種々の他の周辺機器を含んでもよい。
【００５０】
図１０は、ＤＳＰ５０２によって実施してもよい、ソフトウェア環境６０２を図示する。ＤＳＰ５０２は、ソフトウェアの残りが動作するプラットフォームを提供するオペレーティングシステムドライバ６０４を実行する。オペレーティングシステムドライバ６０４は、ワイヤレスデバイスハードウェアのドライバに、アプリケーションソフトウェアにアクセス可能な標準化インターフェースを提供する。オペレーションシステムドライバ６０４は、ＵＥ１０上で実行するアプリケーションの間の制御を伝達する、アプリケーション管理サービス（「ＡＭＳ」）６０６を含む。さらに図１０において、ウェブブラウザアプリケーション６０８、メディアプレイヤーアプリケーション６１０、およびＪａｖａ（登録商標）アプレット６１２が示されている。ウェブブラウザアプリケーション６０８は、ウェブブラウザとして動作するために、ＵＥ１０を構成するため、ユーザは、情報をフォームに入力し、ウェブページを読み出しおよび閲覧するためのリンクを選択できる。メディアプレイヤーアプリケーション６１０は、音声または音声視覚メディアを読み出しおよび再生するために、ＵＥ１０を構成する。Ｊａｖａ（登録商標）アプレット６１２は、ゲーム、ユーティリティ、および他の機能を提供するために、ＵＥ１０を構成する。コンポーネント６１４は、ＭＢＳＦＮデータスケジューリングおよび処理に関連する機能を提供してもよい。
【００５１】
図１のＵＥ１０、ＥＮＢ２０、および中央制御１１０ならびにセル１０２に関連付けられてもよい他のコンポーネントは、その上にかかる必要な負荷を処理するために、十分な処理電力、メモリリソース、およびネットワークスループット機能を有する任意の汎用コンピュータを含んでもよい。図１１は、本明細書中に開示される１つ以上の実施形態を実施するために適していてもよい、典型的な、汎用コンピュータシステム７００を図示する。コンピュータシステム７００は、セカンダリストレージ７５０、読み出し専用メモリ（ＲＯＭ）７４０、ランダムアクセスメモリ（ＲＡＭ）７３０、入出力（Ｉ／Ｏ）デバイス７００、およびネットワーク接続デバイス７６０を含むメモリデバイスと通信する、プロセッサ７２０（中央プロセッサ装置またはＣＰＵと称されることもある）を含む。プロセッサは、１つ以上のＣＰＵチップとして実施されてもよい。
【００５２】
セカンダリストレージ７５０は、典型的には、１つ以上のディスクドライブまたはテープドライブで構成され、ＲＡＭ７３０が、全てのワーキングデータを保持するために十分な大きさでない場合に、データの非揮発性ストレージのために、また、オーバーフローデータストレージデバイスとして、使用される。セカンダリストレージ７５０は、こうしたプログラムが実行のために選択された場合に、ＲＡＭ７３０にロードされるプログラムを格納するために使用してもよい。ＲＯＭ７４０は、命令および、おそらくは、プログラム実行中に読み込まれるデータを格納するために使用される。ＲＯＭ７４０は、典型的には、セカンダリストレージのより大きいメモリ容量に対して小さいメモリ容量を有する、非揮発性メモリデバイスである。ＲＡＭ７３０は、揮発性データを格納し、おそらくは命令を格納するために使用される。ＲＯＭ７４０およびＲＡＭ７３０の両方へのアクセスは、典型的に、セカンダリストレージ７５０よりも高速である。
【００５３】
Ｉ／Ｏデバイス７００は、プリンタ、ビデオモニタ、液晶ディスプレイ（ＬＣＤ）、タッチスクリーンディスプレイ、キーボード、キーパッド、スイッチ、ダイヤル、マウス、トラックボール、音声認識装置、カードリーダ、ペーパーテープリーダ、または他の公知の入力デバイスを含んでもよい。
【００５４】
ネットワーク接続デバイス７６０は、モデム、モデムバンク、イーサネット（登録商標）カード、ユニバーサルシリアルバス（ＵＳＢ）インターフェースカード、シリアルインターフェース、トークンリングカード、ファイバー分散データインターフェース（ＦＤＤＩ）カード、ワイヤレスローカルエリアネットワーク（ＷＬＡＮ）カード、携帯通信（ＧＳＭ）無線トランシーバカードのための符号分割複数のアクセス（ＣＤＭＡ）および／またはグローバルシステム等の無線トランシーバカード、および他の公知のネットワークデバイスの形態であってもよい。これらのネットワーク接続デバイス７６０は、プロセッサ７２０が、インターネットまたは１つ以上のイントラネットと通信することを可能にする。こうしたネットワーク接続では、プロセッサ７２０がネットワークからの情報を受信する、または、上記の方法のステップの実行中に、ネットワークへ情報を出力することが、検討される。プロセッサ７２０を使用して実行される一連の命令として多くの場合表される、こうした情報は、例えば、搬送波として実行されるコンピュータデータシグナルの形態で、ネットワークから受信、およびネットワークへ出力されてもよい。
【００５５】
プロセッサ７２０を使用して実行されるデータまたは命令を含んでもよい、こうした情報は、例えば、コンピュータデータベースバンドシグナルまたは搬送波内で実行されるシグナルの形態で、ネットワークから、およびネットワークへ、入出力されてもよい。ネットワーク接続７６０によって生成される搬送波内で実行されるベースバンドシグナルまたはシグナル、デバイスは、導電体内または導電体上、同軸ケーブル、導波管、光媒体、例えば光ファイバー、または無線またはフリースペース内を伝播してもよい。ベースバンドシグナルに含まれる情報または搬送波に埋め込まれるシグナルは、情報の処理または生成あるいは情報の送受信のために望ましいように、異なるシーケンスに従い、順序決定されてもよい。ベースバンドシグナルまたは搬送波に埋め込まれているシグナル、または本明細書中で伝送媒体と称される、現在使用されているまたは今後開発される、他の種類のシグナルを、当業者に公知のいくつかの方法に従い、生成してもよい。
【００５６】
プロセッサ７２０は、ハードディスク、フロッピー（登録商標）ディスク、光ディスク（これらの種々のディスクベースのシステムは、全て、セカンダリストレージ７５０と考えてもよい）、ＲＯＭ７４０、ＲＡＭ７３０、またはネットワーク接続デバイス７６０からアクセスする、命令、コード、コンピュータプログラム、スクリプトを実行する。１つのみのプロセッサ７２０が示されているが、複数のプロセッサが存在してもよい。このため、命令は、プロセッサによって実行されるものとして記載されてもよいが、命令は、同時に、順次に実行、または、１つまたは複数のプロセッサによって実行されてもよい。
【００５７】
本開示において、いくつかの実施形態が提供されているが、本開示の精神または範囲から逸脱しない限り、開示されたシステムおよび方法は、多数の他の特定の形式で実施できることを理解されたい。また、本実施例は、制限的ではなく例示的なものとして考えるべきであり、本明細書内に記載されている詳細事項に制限されるものではない。例えば、種々の要素またはコンポーネントは、別のシステムにおいて組み合わせまたは統合してもよい、あるいは特定の特徴を省略してもよい、または実施しなくてもよい。
【００５８】
さらに、種々の実施形態中に、別個に、または区別して、記載および図示される技術、システム、サブシステムならびに方法は、本開示の範囲から逸脱しない限り、他のシステム、モジュール、技術、または方法と組み合わせし得るか、あるいは統合し得る。連結された、または直接連結された、あるいは、互いに通信するように、図示または記載される他の項目は、電気的、機械的、またはその他の形態に関わらず、いくつかのインターフェース、デバイス、または中間コンポーネントを介して、間接的に連結または通信してもよい。また、変更、置換、および改変の他の例が、当業者によって確認可能であり、本明細書に開示されている精神および範囲を逸脱することなく、実行可能である。
【図１】
2011509548.tif 000003
【図２】
2011509548.tif 000004
【図３】
2011509548.tif 000005
【図４】
2011509548.tif 000006
【図５ａ】
2011509548.tif 000007
【図５ｂ】
2011509548.tif 000008
【図６】
2011509548.tif 000009
【図７ａ】
2011509548.tif 000010
【図７ｂ】
2011509548.tif 000011
【図８】
2011509548.tif 000012
【図９】
2011509548.tif 000013
【図１０】
2011509548.tif 000014
【図１１】
2011509548.tif 000015
【国際調査報告】
2011509548.tif 000016
2011509548.tif 000017
2011509548.tif 000018